(57)【要約】【課題】運転時に発生する騒音を小さくできる空気調和機の室外機を提供する。【解決手段】一方の短辺４ａ側に圧縮機設置部１２が設けられた平面視略矩形状の平板状体からなる底フレーム４を備えた空気調和機の室外機である。底フレーム４に、ドレン水排出孔２１を有するドレン水排出溝２２と、このドレン水排出溝２２に圧縮機２近傍のドレン水を導入するガイド溝１９とを設ける。ガイド溝１９を長手方向である左右方向に沿って配置する。圧縮機設置部１２を仕切る仕切板Ｓの下方に対応するガイド溝１９の前後方向中心Ｏ２と、圧縮機設置部１２の圧縮機２の中心Ｏ１とを結ぶ仮想線Ｌを、底フレーム４の他方の短辺４ｂ側に向けてこの短辺４ｂと交差するように配置する。【選択図】図１
2005055128.tif 000002
【特許請求の範囲】
【請求項１】
一方の短辺（４ａ）側に圧縮機設置部（１２）が設けられた平面視略矩形状の平板状体からなる底フレーム（４）を備えた空気調和機の室外機であって、上記底フレーム（４）に、ドレン水排出孔（２１）を有するドレン水排出溝（２２）と、このドレン水排出溝（２２）に圧縮機（２）近傍のドレン水を導入するガイド溝（１９）とを設けると共に、このガイド溝（１９）を長手方向である左右方向に沿って配置して、上記圧縮機設置部（１２）を仕切る仕切板（Ｓ）の下方に対応する上記ガイド溝（１９）の前後方向中心（Ｏ２）と、圧縮機設置部（１２）の圧縮機（２）の中心（Ｏ１）とを結ぶ仮想線（Ｌ）を、上記底フレーム（４）の他方の短辺（４ｂ）側に向けてこの短辺（４ｂ）と交差するように配置したことを特徴とする空気調和機の室外機。
【請求項２】
上記ガイド溝（１９）の前後方向中心部に、その長手方向に沿って配設される凸部からなる補強部（１４）を設けたことを特徴とする請求項１の空気調和機の室外機。
【発明の詳細な説明】
【技術分野】
【０００１】
この発明は、空気調和機の室外機に関するものである。
【背景技術】
【０００２】
空気調和機の室外機は室外機ケーシングを備え、この室外機ケーシングの底フレームには、結露によって生じるドレン水を排出するために、従来からドレン水排出口が設けられている（例えば、特許文献１参照）。すなわち、このような底フレームにおいては、図５に示すように、平面視矩形状の平板状体からなり、一方の短辺側に圧縮機（図示省略）が設置される圧縮機設置部５１が形成されていると共に、後方の長辺側から他方の短辺側に沿って熱交換器（図示省略）が設置される熱交換器設置部５０が形成されている。そして、熱交換器設置部５０には、長手方向（左右方向）に延びるドレン水集合溝５２が設けられ、このドレン水集合溝５２の長手方向中央部にドレン水排出口５３が開設されている。また、圧縮機設置部５１に設けられた凹部５５に滴下するドレン水は、ガイド溝５４を介してドレン水集合溝５２に集合するように構成されていた。
【特許文献１】特開平８−９４１２５号公報（第４−７頁、第１図）
【発明の開示】
【発明が解決しようとする課題】
【０００３】
ところで、室外機としては、熱交換器設置部５０と圧縮機設置部５１との間に仕切板が配置される。このため、圧縮機にて発生した騒音は、大部分は仕切板で内部に閉じ込められるものの、その一部はこの仕切板の下方に配置されるガイド溝５４を介して外部へ洩れることになる。しかしながら、上記図５に示すような底フレームでは、ガイド溝５４は音源である圧縮機の中心部に対して一方（前方）の長辺側に配置されているので、この騒音の伝達路は圧縮機の中心部から矢印Ａ方向に沿って形成されることになる。従って、伝達路は極めて短く設定され、圧縮機の騒音はほとんど減衰されることなく、前方側へ洩れることになって、室外機として大きな騒音を発生することになっていた。
【０００４】
この発明は上記従来の欠点を解決するためになされたものであって、その目的は、運転時に発生する騒音を小さくできる空気調和機の室外機を提供することにある。
【課題を解決するための手段】
【０００５】
そこで請求項１の空気調和機の室外機は、一方の短辺４ａ側に圧縮機設置部１２が設けられた平面視略矩形状の平板状体からなる底フレーム４を備えた空気調和機の室外機であって、上記底フレーム４に、ドレン水排出孔２１を有するドレン水排出溝２２と、このドレン水排出溝２２に圧縮機２近傍のドレン水を導入するガイド溝１９とを設けると共に、このガイド溝１９を長手方向である左右方向に沿って配置して、上記圧縮機設置部１２を仕切る仕切板Ｓの下方に対応する上記ガイド溝１９の前後方向中心Ｏ２と、圧縮機設置部１２の圧縮機２の中心Ｏ１とを結ぶ仮想線Ｌを、上記底フレーム４の他方の短辺４ｂ側に向けてこの短辺４ｂと交差するように配置したこと特徴としている。
【０００６】
請求項１の空気調和機の室外機では、仕切板Ｓの下方に設けられるガイド溝１９を介して圧縮機の騒音が洩れることになる。この際、ガイド溝１９を長手方向である左右方向に沿って配置して、圧縮機設置部１２を仕切る仕切板Ｓの下方に対応するガイド溝１９の前後方向中心Ｏ２と、圧縮機設置部１２の圧縮機２の中心Ｏ１とを結ぶ仮想線Ｌを、底フレーム４の他方の短辺４ｂ側に向けてこの短辺４ｂと交差するように配置したので、この仮想線Ｌに沿って、圧縮機２からの騒音を伝達する伝達路が形成され、この伝達路は長くなっている。このため、圧縮機２にて生じる騒音は、底フレーム４の一方の短辺４ａ側の圧縮機設置部１２から底フレーム４の他方の短辺４ｂに達する長い伝達路を伝達することになって、この間で減衰される。
【０００７】
請求項２の空気調和機の室外機は、上記ガイド溝１９の前後方向中心部に、その長手方向に沿って配される凸部からなる補強部１４を設けたことを特徴としている。
【０００８】
請求項２の空気調和機の室外機では、上記ガイド溝１９の補強部１４が設けられるので、ガイド溝１９、及びこのガイド溝１９近傍の剛性が向上する。
【発明の効果】
【０００９】
請求項１の空気調和機の室外機によれば、圧縮機にて生じる騒音は、底フレームの一方の短辺側の圧縮機設置部から底フレームの他方の短辺に達する長い伝達路を伝達することになって、この間で減衰される。このため、外部にもれる騒音は小さくなって、静かな運転が可能となる。また、外部への騒音洩れを減少させることができるので、圧縮機の防音対策として使用される防音材を減らすことが可能となって、コストの低減を図ることができる。
【００１０】
請求項２の空気調和機の室外機によれば、ガイド溝、及びこのガイド溝近傍の剛性が向上する。このため、ガイド溝上方に設けられる仕切板、及びこの仕切板にて囲まれる圧縮機を安定良く支持できると共に、長い伝達路を安定して構成することができ、騒音の減衰を確実に達成できる。
【発明を実施するための最良の形態】
【００１１】
次にこの発明の空気調和機の室外機を具体的な実施の形態について図面を参照しつつ詳細に説明する。図１はこの空気調和機の室外機の底フレームの平面図を示し、図２はこの底フレームの斜視図を示している。空気調和機は室内機（図示省略）と室外機１（図４参照）とを備える。そして、室内機は室内熱交換器やファン等が室内機ケーシングに収納されてなり、室外機１は室外熱交換器（図示省略）や圧縮機２（図２参照）やファン（図示省略）等が室外機ケーシング３に収納されてなる。また、室外機ケーシング３は、図４に示すように、上記底フレーム４と、前壁５と、後壁６と、側壁７、８と、上壁（天板）９とを備える。なお、前壁５には風通過孔１０が設けられ、この風通過孔１０に対応して上記ファン（図示省略）が室外機ケーシング３内に配置されている。
【００１２】
上記底フレーム４は、図１と図２に示すように、平面視略矩形状の平板体からなり、その周縁部には立上片１１が設けられている。そして、この室外機１には上記したように、圧縮機２と室外熱交換器等が収納されるので、この底フレーム４には、圧縮機設置部１２と、室外熱交換器設置部１３等が設けられる。また、この室外機ケーシング３内には、圧縮機設置部１２と室外熱交換器設置部１３とを仕切る仕切板Ｓが配置される。
【００１３】
この場合、圧縮機設置部１２は一方の短辺４ａ側に設けられ、室外熱交換器設置部１３は後方の長辺４ｄ側から他方の短辺４ｂに沿って設けられる。すなわち、底フレーム４の上面には、凹部１５・・と凸部１６・・と基準平部１７・・等からなる凹凸面部１８が形成され、圧縮機設置部１２は、第１凸部１６ａと第２凸部１６ｂと第３凸部１６ｃ等で構成される。この場合、第１凸部１６ａと第２凸部１６ｂとは連続しており、その高さが第３凸部１６ｃよりも低く、基準平部１７よりも高く設定されている。そして、第１凸部１６ａと第２凸部１６ｂと第３凸部１６ｃとで挟まれる範囲に平面視略円形の第１凹部１５ａが形成されている。また、長手方向（左右方向）中央部には、前方から後方に向かって順次、第２凹部１５ｂと、第３凹部１５ｃと、第４凹部１５ｄと、第５凹部１５ｅが配置される。このため、第２凹部１５ｂと第３凹部１５ｃとの間に第４凸部１６ｄが設けられ、第３凹部１５ｃと第４凹部１５ｄとの間に第５凸部１６ｅが設けられ、第４凹部１５ｄと第５凹部１５ｅとの間に第６凸部１６ｆが設けられる。さらに、第１凹部１５ａと第３凹部１５ｃとが連結用凹部２０ａにて連結され、第２凹部１５ｂと第３凹部１５ｃとが連結用凹部２０ｂにて連結され、第３凹部１５ｃと第４凹部１５ｄとが連結用凹部２０ｃ、２０ｄにて連結され、第４凹部１５ｄと第５凹部１５ｅとが連結用凹部２０ｅ、２０ｆにて連結されている。また、第１凹部１５ａと、この第１凹部１５ａに連設される連結用凹部２０ａとには、第３凹部１５ｃに至る第７凸部１６ｇが設けられている。
【００１４】
そして、上記第５凹部１５ｅにドレン水排出口２１が設けられ、この底フレーム４上に滴下したドレン水は、各凹部１５・・等を流れて、最終的に第５凹部１５ｅに入って、このドレン水排出口２１から外部へ排出される。このため、各凹部１５ｂ、１５ｃ、１５ｄ、１５ｅや連結用凹部２０ｂ、２０ｃ、２０ｄ等にてドレン水排出溝２２を構成すると共に、連結用凹部２０ａが、第１凹部１５ａに滴下する圧縮機２周辺（近傍）のドレン水をドレン水排出溝２２に導入するためのガイド溝１９となる。例えば、圧縮機設置部１２の第１凹部１５ａに圧縮機２周辺のドレン水が滴下すれば、このドレン水が、この第１凹部１５ａからガイド溝１９を介して第３凹部１５ｃに侵入すると共に、連結用凹部２０ｄを介して第４凹部１５ｄに入って、さらに、連結凹部２０ｅ、２０ｆを介して、第５凹部１５ｅからなるドレン水集合溝に入って、ドレン水排出口２１から外部へ排出される。
【００１５】
この場合、図１に示すように、圧縮機設置部１２を仕切る仕切板Ｓの下方に対応する上記ガイド溝１９の前後方向中心（幅方向中心）Ｏ２と、圧縮機設置部１２の圧縮機２の中心Ｏ１（圧縮機２から発生する騒音の音源中心となる点）とを結ぶ仮想線Ｌを、他方の短辺４ｂ側に向かってこの短辺４ｂに交差するように配置している。また、連結用凹溝２０ａにて形成されるガイド溝１９と、第３凹部１５ｃとは、同一直線上に長手方向である左右方向に沿って配設される。ところで、上記したように、第１凹部１５ａと、この第１凹部１５ａに連設される連結用凹部２０ａとには、第３凹部１５ｃに至る第７凸部１６ｇが設けられているが、この第７凸部１６ｇはいわゆるビード部となるので、この第７凸部１６ｇをもって、このガイド溝１９、及びこのガイド溝１９近傍の補強をなす補強部１４を形成している。
【００１６】
ところで、圧縮機設置部１２には、圧縮機２をこの圧縮機設置部１２に固定するための圧縮機支持構造が形成されている。この圧縮機支持構造は、底フレーム４のボルト取付部２３に、鍔部２４が載置された状態で立設される圧縮機固定用ボルト部材２５（以下単にボルト部材２５と呼ぶ場合がある。）を備えたものである。このボルト部材２５は、図３に示すように、両端部にねじ部２６、２７が形成された軸部２８と、この軸部２８の一方（下方）のねじ部（第１ねじ部）２６側に設けられる円盤状の上記鍔部２４とからなる。また、底フレーム４のボルト取付部２３は、第１凸部１６ａ、第２凸部１６ｂ、及び第３凸部１６ｃにそれぞれ設けられる。この場合、底フレーム４の一部（第１凸部１６ａ、第２凸部１６ｂ、第３凸部１６ｃの一部）を上方へ隆起させたものであって、その断面形状が台形状とされる。すなわち、ボルト取付部２３は、略円形の上壁３０と、この上壁３０の外周側に連設される側壁部３１とからなり、外形形状としては円錐台とされる。この場合、側壁部３１の傾斜角度αとしては、４５度程度としている。なお、図示省略するが、各ボルト取付部２３の側壁部３１に補強用のリブを設けてもよい。
【００１７】
そして、ボルト部材２５の鍔部２４がボルト取付部２３の上壁３０の上面に載置されることになり、このボルト取付部２３の上壁３０の上面が鍔部載置面３２となる。この場合、鍔部２４の外径寸法Ｄを鍔部載置面３２の外径寸法Ｄ１と略同一としている。この際、ボルト取付部２３の上壁３０に貫通孔（図示省略）を設け、ボルト部材２５の第１ねじ部２６をこの貫通孔を介して下方へ突出させて、この突出したねじ部２６にナット部材２９を螺着するようにしている。これによって、このボルト部材２５は、ボルト取付部２３の上壁３０の上面である鍔部載置面３２に鍔部２４が載置された状態で立設される。なお、ボルト部材２５としては下方の第１ねじ部２６を有さないものであってもよい。すなわち、ボルト取付部２３の鍔部載置面３２に鍔部２４を載置した状態で、ボルト部材２５の下端部をボルト取付部２３の上壁３０の貫通孔を介して下方へ突出させ、この突出部をカシメ等にて圧潰して圧潰部を形成し、この圧潰部と鍔部２４とで、ボルト取付部２３の上壁３０を挟んだ状態とすることによって、このボルト部材２５をボルト取付部２３から立設することができる。
【００１８】
また、圧縮機２には、図２に示すように、その外周面３３の下端部に複数個（図例では３個）の取付片３４・・が設けられている。この取付片３４は、上下方向に延びる第１部３５と、この第１部３５の下端から水平方向への延びる第２部３６とからなり、第１部３５が圧縮機２の外周面３３に溶接等にて固着され、第２部３６が圧縮機２の外周面３３から径方向外方へ突設された状態となる。そして、第２部３６には貫通孔３７が設けられ、この貫通孔３７にボルト部材２５の他端部（上端部）側のねじ部２７が挿通される。この際、取付片３４の第２部３６とボルト部材２５の鍔部２４との間に短筒状の防振ゴム等からなる防振材（図示省略）が介装される。これによって、各ボルト取付部２３・・に取付片３４が固定された状態で、圧縮機２がこの底フレーム４に立設支持されることになる。
【００１９】
このように、上記底フレーム４を使用した室外機１では、圧縮機２にて発生する騒音は、大半が仕切板Ｓの内部に閉じ込められるが、一部が仕切板Ｓの下方に配置されるガイド溝１９を介して、外部へ洩れることになる。しかしながら、この室外機では、ガイド溝１９を長手方向である左右方向に沿って配置して、圧縮機設置部１２を仕切る仕切板Ｓの下方に対応するガイド溝１９の前後方向中心（幅方向中心）Ｏ２と、圧縮機設置部１２の圧縮機２の中心Ｏ１（圧縮機２から発生する騒音の音源中心となる点）とを結ぶ仮想線Ｌを、他方の短辺４ｂ側に向けてこの短辺４ｂと交差するように配置したので、この仮想線Ｌに沿って、圧縮機２からの騒音を伝達する伝達路が形成されることになる。このため、この伝達路は長くなって、圧縮機２にて生じる騒音は、長い伝達路を伝達する際に、この間で減衰される。すなわち、この室外機１から外部に洩れる騒音は小さくなって、室外機１として静かな運転が可能となる。また、外部への騒音洩れを減少させることができるので、圧縮機２の防音対策として使用される防音材（図示省略）を減らすことが可能となって、コストの低減を図ることができる。なお、僅かながら騒音が洩れるが、この場合、室外機１の前方に向かって洩れるのではなく、側方に向かって洩れるので、外部へのこの騒音による影響は少ないといえる。
【００２０】
また、底板４に形成される第７凸部１６ｇをもって、このガイド溝１９、及びこのガイド溝１９近傍の補強をなす補強部１４を形成しているので、このガイド溝１９、及びこのガイド溝１９近傍の剛性が向上して、ガイド溝１９上方に設けられる仕切板Ｓ、及び、この仕切板Ｓにて囲まれる圧縮機２を安定良く支持できると共に、長い伝達路を安定して構成することができ、騒音の減衰を確実に達成できる。
【００２１】
なお、この底フレーム４には、図３に示すようなボルト支持構造が設けられるが、このボルト支持構造では、ボルト部材２５の鍔部２４の外径寸法Ｄを、ボルト取付部２３の鍔部載置面３２の外径寸法Ｄ１と略同一に設定しているので、鍔部２４の外縁部（外周縁部）２４ａが鍔部載置面３２の外縁部（外周縁部）３２ａに対応して、ボルト部材２５に下方への荷重が付与（付加）されれば、この荷重を鍔部載置面３２の稜線部、つまり外縁部（外周縁部）３２ａで受けることになる。このため、このボルト取付部２３での許容荷重が向上して、底フレーム４の板厚を大きくすることなく、圧縮機２を安定して支持することができる。しかも、底フレーム４の板厚を小さくできるので、コストの低減を図ると共に、軽量化を達成して、設置作業性及び搬送性の向上を図ることができる。
【００２２】
以上にこの発明の具体的な実施の形態について説明したが、この発明は上記実施の形態に限られるものではなく、この発明の範囲内で種々変更して実施することが可能である。例えば、底フレーム４の凹凸面部１８の形状として、図１及び図２に示すものに限るものではないが、ガイド溝１９を左右方向（長手方向）に沿って配置すると共に、圧縮機設置部１２を仕切る仕切板Ｓの下方に対応するガイド溝１９の前後方向中心Ｏ２と、圧縮機設置部１２の圧縮機２の中心Ｏ１とを結ぶ仮想線Ｌを、他方の短辺４ｂ側に向けてこの短辺４ｂと交差するように配置することができるものであればよく、また、仮想線Ｌとしても図１に示すものに限るものではなく、例えば、底フレーム４の長辺４ｃ、４ｄに対して平行であってもよい。要は、圧縮機２からの騒音が伝達する伝達路の長さを大きく稼げればよい。
【図面の簡単な説明】
【００２３】
【図１】この発明の空気調和機の室外機の底フレームの実施形態を示す平面図である。
【図２】上記底フレームの斜視図である。
【図３】上記底フレームに設けられるボルト支持構造を示す断面図である。
【図４】上記底フレームが使用された室外機の斜視図である。
【図５】従来の空気調和機の室外機の底フレームの平面図である。
【符号の説明】
【００２４】
２・・圧縮機、４ａ、４ｂ・・短辺、１２・・圧縮機設置部、１４・・補強部、１９・・ガイド溝、２１・・ドレン水排出口、２２・・ドレン水排出路、Ｏ１、Ｏ２・・中心、Ｌ・・仮想線、Ｓ・・仕切板
【図１】
2005055128.tif 000003
【図２】
2005055128.tif 000004
【図３】
2005055128.tif 000005
【図４】
2005055128.tif 000006
【図５】
2005055128.tif 000007